(57)【要約】【課題】水栓本体と吐水操作部とを別体で配置することにより、水栓回りの意匠的価値の向上と水栓自体の操作性の向上等を同時に図り得る浴室用水栓を提供する。【解決手段】浴室内の洗い場のカウンター側壁面にミラーと共に取り付けられる浴室用の水栓が、入浴者に視認されない位置に配置された水栓本体と、該水栓本体とは別体で形成され吐水操作部を有してミラーの下方の壁面に配置された吐水口と、を備えることを特徴とする。水栓本体は、ミラーの下部裏面の壁面に洗い場の入浴者から視認されない状態で配置されたり、カウンター内側もしくはバスタブエプロン内側の空間内に配置され、吐水操作部は、タッチ式もしくはプッシュ式に構成され、吐水口から吐水される湯水を照明する照明装置等が一体的に設けられる。【選択図】　図１
2004100427.tif 000002
【特許請求の範囲】
【請求項１】
浴室内の洗い場のカウンター側壁面にミラーと共に取り付けられる浴室用の水栓であって、
前記水栓は、入浴者に視認されない位置に配置された水栓本体と、該水栓本体とは別体で形成され吐水操作部を有して前記ミラーの下方の壁面に配置された吐水口と、を備えることを特徴とする浴室用水栓。
【請求項２】
前記水栓本体は、前記ミラーの下部裏面の壁面に洗い場の入浴者から視認されない状態で配置されていることを特徴とする請求項１に記載の浴室用水栓。
【請求項３】
前記水栓本体は、カウンター内側もしくはバスタブエプロン内側の空間内に配置されていることを特徴とする請求項１に記載の浴室用水栓。
【請求項４】
前記水栓本体は、湯水の温度を調整する温調操作部及び吐水口とシャワーとを切り換える切換操作部を有し、該温調操作部及び切換操作部が前記ミラー下方の壁面に露出する状態で配置されていることを特徴とする請求項１ないし３のいずれかに記載の浴室用水栓。
【請求項５】
前記吐水操作部は、タッチ式もしくはプッシュ式に形成されていることを特徴とする請求項１ないし４のいずれかに記載の浴室用水栓。
【請求項６】
前記吐水操作部は、前記吐水口から吐水される湯水を照明する照明装置が一体的に設けられていることを特徴とする請求項１ないし５のいずれかに記載の浴室用水栓。
【請求項７】
前記吐水操作部は、壁面に設けられる収納棚の棚板に一体的に設けられていることを特徴とする請求項１ないし６のいずれかに記載の浴室用水栓。
【発明の詳細な説明】
【０００１】
【発明の属する技術分野】
本発明は、例えば浴室ユニットにおける洗い場のカウンター側壁面に取り付けられる浴室用水栓に関する。
【０００２】
【従来の技術】
一般的に、システムバスルーム等の浴室ユニットにおいて、洗い場のカウンター上部の壁パネルやミラーパネルには、ミラーの下部に洗い場水栓が取り付けられている。従来、この水栓としては、壁パネルに露出状態で取り付けられた吐水口を有する水栓本体と、この水栓本体に一体化された操作レバーもしくは操作ハンドル等の操作部とで構成されている。
【０００３】
【発明が解決しようとする課題】
しかしながら、このような水栓にあっては、比較的大きな形状の操作部付きの水栓本体が壁パネルに直接露出状態で取り付けられているため、水栓回りにデザイン的なすっきり感が得られ難く、その意匠的価値を十分に高めることが難しいという問題点を有している。
【０００４】
また、操作ハンドルや操作レバーの操作として回転操作や押圧操作等の各種の操作があるため、水栓に応じて異なる操作が必要になったり、比較的大きな操作力で操作部を回転したり押圧する必要がある。また、洗い場に座った入浴者によって操作される操作部が、吐水口を有する水栓本体の設置位置に応じて必然的に決まるため、最適な位置に操作部を設けることが難しく、これらのことから、水栓の操作性が劣るという問題点も有している。
【０００５】
本発明は、このような事情に鑑みてなされたもので、その目的は、水栓本体と吐水操作部とを別体で配置することにより、水栓回りの意匠的価値の向上と水栓自体の操作性の向上等を同時に図り得る浴室用水栓を提供することにある。
【０００６】
【課題を解決するための手段】
かかる目的を達成すべく、本発明のうち請求項１に記載の発明は、浴室内の洗い場のカウンター側壁面にミラーと共に取り付けられる浴室用の水栓であって、前記水栓は、入浴者に視認されない位置に配置された水栓本体と、該水栓本体とは別体で形成され吐水操作部を有して前記ミラーの下方の壁面に配置された吐水口と、を備えることを特徴とする。
【０００７】
このように構成することにより、洗い場のカウンター上部に取り付けられる水栓は、その水栓本体が入浴者から視認されない状態で配置され、その吐水操作部を有する吐水口がミラーの下方の壁面に配置される。これにより、比較的大きな水栓本体を隠すことができて、水栓回りのデザイン性が向上すると共に、吐水操作部を有する使用頻度の多い吐水口を、ミラー下方で入浴者が使用し易い最適位置に配置できて、水栓自体の操作性の向上が図れる。
【０００８】
そして、前記水栓本体は、請求項２に記載の発明のように、前記ミラーの下部裏面の壁面に洗い場の入浴者から視認されない状態で配置されていたり、請求項３に記載の発明のように、カウンター内側もしくはバスタブエプロン内側の空間内に配置されていることが好ましい。このように構成することにより、水栓の使用に直接関係なく比較的大きな外形形状を有する水栓本体が、ミラー下部裏面の収納部やカウンター内側、バスタブエプロン内側の空間内に配置されることから、水栓本体を入浴者から確実に隠すことができて、水栓回りのデザイン性の一層の向上が図れる。
【０００９】
また、前記水栓本体は、請求項４に記載の発明のように、湯水の温度を調整する温調操作部及び吐水口とシャワーとを切り換える切換操作部を有し、該温調操作部及び切換操作部が前記ミラー下方の壁面に露出する状態で配置されていることが好ましい。このように構成することにより、水栓本体の温調操作部や切換操作部が、ミラー下方の壁面に露出する状態で配置されていることから、この温調操作部や切換操作部を洗い場に座った状態で操作できると共に、比較的使用頻度の少ない温調操作部や切換操作部を吐水操作部とは別位置に配置することで、各操作部の確実かつスムーズな操作が可能になる。
【００１０】
また、前記吐水操作部は、請求項５に記載の発明のように、タッチ式もしくはプッシュ式に形成されていることが好ましい。このように構成することにより、湯水使用時に操作される吐水操作部がタッチ式等で形成されることから、その操作力が軽減されて吐水操作部の操作性向上が図れる。
【００１１】
また、前記吐水操作部は、請求項６に記載の発明のように、前記吐水口から吐水される湯水を照明する照明装置が一体的に設けられていることが好ましい。このように構成することにより、吐水操作部の操作時に照明装置を点灯させることで吐水される湯水を照明できることから、吐水される湯水が入浴者に明確に視認されて吐水操作部の一層の操作性向上が図れると共に、照明された湯水により吐水操作部回りに光による演出効果が得られる。
【００１２】
また、前記吐水操作部は、請求項７に記載の発明のように、壁面に設けられる収納棚の棚板に一体的に設けられていることが好ましい。このように構成することにより、カウンター側壁面に設けられた収納棚の例えば最下段の棚板の所定位置に吐水操作部が一体的に設けられることから、棚板を吐水操作部や吐水口の取付部材として兼用できて浴室の使い勝手の向上が図れると共に、吐水操作部回りのデザイン性の一層の向上が図れる。
【００１３】
【発明の実施の形態】
以下、本発明の実施の形態を図面に基づいて詳細に説明する。
図１〜図３は、本発明に係わる浴室用水栓を浴室ユニットに適用した場合の一実施例を示し、図１がその浴室内部を示す斜視図、図２がその水栓取付部分の縦断面図、図３がその横断面図である。
【００１４】
図１において、浴室１は、内部の防水パン上にバスタブ２が配置されると共にこのバスタブ２の側方に洗い場３が設けられ、防水パンの周囲に配置された壁パネル４と例えばドーム型の天井パネル５とによって箱状に形成されている。洗い場３のバスタブ２の反背側である壁パネル４ａ側には、カウンター６が設けられ、このカウンター６の上部には、壁面としてのミラーパネル７が壁パネル４ａに共締め等により一体的に組み付けられている。
【００１５】
このミラーパネル７は、例えば人工大理石や一般の合成樹脂等によって一体成形され、その表面７ａの幅方向の左右端部７ｂ、７ｃが前方に突出した平面視で略円弧形状に形成されている。そして、このミラーパネル７の表面７ａには、ミラー８、水栓９、収納棚部１０、間接照明装置１１等が取り付けられている。
【００１６】
前記ミラー８は、その全体形状が縦長の楕円形状に形成され、図２及び図３に示すように、その上下端部が例えば同一長さの支持杆１６と金属製の取付板１７等を介してミラーパネル７の表面７ａに垂直状態で取り付けられている。この時、支持杆１６をミラーパネル７の平面視で円弧状部の最も深い部分に取り付けることで、ミラー８のミラーパネル７の表面７ａからの突出寸法ができるだけ小さくなるように設定されている。
【００１７】
これにより、ミラー８が支持杆１６によりミラーパネル７に対して浮いた状態で取り付けられ、ミラー８裏に所定の空間１８が形成されている。なお、上下の支持杆１６の長さを異ならせることにより、ミラー８を上下方向において多少傾斜状態で取り付けることもできる。そして、このミラー８裏面の空間１８を利用して、前記水栓９、収納棚部１０及び間接照明装置１１が取り付けられている。
【００１８】
すなわち、水栓９は、水栓本体１２と水栓操作部としての吐水操作部１３を有し、水栓本体１２はミラー８下部裏面の空間１８内に前方から視認されない状態で配置されている。また、水栓本体１２には、図１に示すように、湯水の温度を調整する温調操作部１２ａと、後述する吐水口１４からの吐水とシャワー３３（図５参照）からの吐水を切り換える吐水切り換え用の切換操作部１２ｂが設けられている。
【００１９】
また、前記吐水操作部１３は、ミラー８下方のミラーパネル７の表面７ａに突出する状態で、後述する棚板１０ｂに一体的に組み付け配置され、左右一対の上面カバー１３ａ、１３ｂと、この上面カバー１３ａ、１３ｂの裏面（下面）内部に配置された前記吐水口１４及び吐水照明装置１５（図２及び図３参照）等を有している。この吐水操作部１３の上面カバー１３ａ、１３ｂは、例えば導電材料で形成されると共に図示しない制御回路等にそれぞれ接続されることにより、入浴者の指が接触することで一方の端子がアースされて電気的にオンする一対の図示しないスイッチを形成している。
【００２０】
すなわち、図１に示すように、吐水操作部１３の例えば左側の操作部としての上面カバー１３ａにより、吐水口１４から湯水Ｗを吐水させるためのタッチ式のスイッチが形成され、幅方向の右側の操作部としての上カバー１３ｂにより、図２及び図３に示す吐水照明装置１５を点灯・消灯させるスイッチが形成されている。なお、この上面カバー１３ａ、１３ｂによるスイッチの構成は、タッチ式に限定されず、例えば上面カバー１３ａ、１３ｂを回動可能に構成することで、マイクロスイッチ等を機械的にオン・オフさせるプッシュ式のスイッチ構成とすることもできる。
【００２１】
また、吐水操作部１３の吐水口１４は、上面カバー１３ａ、１３ｂの例えば前方に位置して下方に指向する状態で設けられ、この吐水口１４は、図２に示すように、ミラーパネル７を後方に貫通すると共に上方に延びた配管１９によって前記水栓本体１２に接続されている。この吐水口１４の後方には、白熱灯、蛍光灯、スポットライト等からなる照明灯１５ａと照明カバー１５ｂを有する前記吐水照明装置１５が配置されている。
【００２２】
前記収納棚部１０は、複数枚（図では４枚）の例えばすりガラス板からなる棚板１０ａ、１０ｂを有し、空間１８部分に上下方向に所定の間隔を有して３枚の棚板１０ａが取り付けられると共に、空間１８（ミラー８）の下方にミラーパネル７の幅方向略全域に亘って１枚の棚板１０ｂが取り付けられている。空間１８内に配置される３枚の棚板１０ａは、その左端部がミラー８の縦の中心線近傍に位置し、その右端部がミラーパネル７の右側の端部７ｃ近傍に位置するように取り付けられている。
【００２３】
また、各棚板１０ａはその一方の端部が、また最下段の棚板１０ｂはその両端部が、棚支持杆２１にそれぞれ支持されている。この棚支持杆２１は、図２及び図３に示すように、外周面に軸方向に沿った溝が形成されると共に、先端部の軸芯位置にネジ孔が形成され、このネジ孔にネジ部付きのキャップ２２がねじ込まれている。このキャップ２２により、溝に挿入された棚板１０ａ、１０ｂの前方への抜けが防止されている。そして、収納棚部１０の空間１８内に位置する部分に収納された収納物はミラー８によって隠されて前方から視認されず、略空間１８外に位置する収納物は前方から直接視認されることになる。
【００２４】
前記間接照明装置１１は、図２及び図３に示すように、例えば管状蛍光灯からなる照明灯１１ａや照明カバー１１ｂ等を有し、ミラー８裏面の空間１８内で反収納棚部１０部分に上下方向に指向して取り付けられている。この間接照明装置１１の照明光が、図３の矢印イの如くミラーパネル７の円弧形状の表面７ａで反射されつつ浴室１内に照射されて、ミラー８の側方に所定の光の演出効果が得られることになる。
【００２５】
この間接照明装置１１は、浴室１の入口やバスタブ２近傍の壁パネル４に設けた操作盤の操作スイッチ（図示せず）によって点灯・消灯するようになっており、この間接照明装置１１の照明灯１１ａとしては、管状蛍光灯に限らず、例えば球状蛍光灯を複数個上下方向に配置して取り付けることもできるし、他の適宜の電球や適宜の個数を使用することもできる。
【００２６】
なお、図１に示すように、ミラーパネル７の上部には、壁面演出用のダウンライト２３が２個配置されており、このダウンライト２３は間接照明装置１１と同様に、浴室１の入口やバスタブ２近傍の操作盤の操作スイッチによって点灯・消灯するようになっている。そして、このダウンライト２３と、間接照明装置１１や吐水照明装置１５あるいは図示しない浴室照明装置等を例えば同時に点灯させたり、浴室照明装置が消灯している時に、ダウンライト２３や間接照明装置１１を点灯させる等、関連付けて点灯させることにより、浴室１内のミラーパネル７部分に幻想的な雰囲気の照明（光による演出効果）が得られることになる。
【００２７】
この浴室１によれば、入浴者が入浴しようとする場合、浴室１の入口等に設けた操作盤の所定のスイッチを操作して間接照明装置１１やダウンライト２３を点灯させて、ミラーパネル７部分を所定の明るさに設定することで、ミラー８部分に所定の雰囲気を醸し出しつつ入浴できる。
【００２８】
そしてこの入浴時に、水栓９を使用しようとして吐水操作部１３の上面カバー１３ａをタッチ操作すると、水栓本体１２から配管１９を介して吐水口１４から、前記温調操作部１２ａで設定した所定温度の湯水Ｗ（図２参照）が吐水される。またこの時、吐水操作部１３の上面カバー１３ｂをタッチ操作することにより、吐水照明装置１５の照明灯１５ａが点灯して、吐水されている湯水Ｗが照明され、吐水位置が入浴者に明瞭に視認されると共に、湯水Ｗ自体が光って吐水部分に光による演出効果が得られることになる。
【００２９】
このように、上記実施例によれば、水栓９を構成する水栓本体１２と吐水操作部１３及び吐水口１４とが別体で形成され、水栓本体１２がミラー８下部裏面の空間１８内に配置されているため、水栓本体１２を洗い場３の入浴者から視認されないように隠すことができて、水栓９回りにすっきり感が得られる等、そのデザイン性の向上を図ることができる。特に、平板状の吐水操作部１３が収納棚部１０を形成する最下段の棚板１０ｂの中央部分に一体化されていることから、従来のハンドル等のように突出する部分がほとんどなく、水栓９回りのデザイン性を一層高めることが可能になる。
【００３０】
また、水栓本体１２をミラー８下部裏面に配置しているため、ミラー８裏面の空間１８内に形成される収納棚部１０の収納スペースを減少させることがなくなると共に、楕円形状のミラー８の下部裏面に形成される空間１８におけるデッドスペースの有効利用が図れる等、水栓本体１２をミラー８裏面に設けた収納棚部１０内に効率的に配置することができる。
【００３１】
さらに、吐水操作部１３がミラー８下部で洗い場３に座った入浴者の前方に配置されているため、使用頻度が高い吐水操作部１３を最適位置に設定できると共に、温調操作部１２ａ及び切換操作部１２ｂがミラー８下部の側方に露出状態で配置されているため、これらを入浴者が洗い場３に座った状態で操作でき、吐水操作部１３と各操作部１２ａ、１２ｂとをミラーパネル７に効果的に配置することができる。また、使用頻度が高い吐水操作部１３がタッチ式（もしくはプッシュ式）に構成されているため、その操作力を小さくすることができ、これらのことから、水栓９の操作性の向上を図ることが可能になる。
【００３２】
またさらに、吐水操作部１３に吐水照明装置１５が設けられているため、湯水Ｗの吐水時に吐水照明装置１５を点灯させることにより湯水Ｗを照明できて、入浴者に吐水位置や吐水状態を明瞭に視認させることができると共に、湯水Ｗに光による演出効果が得られて、湯水Ｗの吐水時に水栓９回り等に幻想的な雰囲気を醸し出すことができる。また、吐水操作部１３が最下段の棚板１０ｂに一体化されているため、吐水操作部１３専用の取付部材が不要となり、水栓９回りの構成を簡略化することもできる。
【００３３】
また、上記実施例においては、次のような付随的な作用効果を得ることができる。すなわち、ミラー８を所定長さの支持杆１６によってミラーパネル７の表面７ａから浮かせて取り付けることでミラー８裏面に空間１８を形成し、この空間１８を利用して、間接照明器具１１や収納棚部１０及び水栓本体１２を取り付けているため、空間１８を有効利用しつつ３つの付帯器具をミラー８の近辺に効率的に配置して各器具をすっきりと取り付けることができる。
【００３４】
また同時に、支持杆２１の先端にねじ込まれたキャップ２２を取り外すことで棚板１０ａ、１０ｂを取り外すことができて、棚板１０ａ、１０ｂの洗浄や他の棚板や板体への交換が容易に行える等、収納棚部１０のメンテナンスも容易となり、収納棚部１０を実用に即した構造とすることができて、その使い勝手の向上を図ることが可能になる。
【００３５】
また、間接照明装置１１がミラー８の表面側から完全に隠れた状態でミラー８裏面の空間１８内に取り付けられるため、間接照明装置１１の照明灯１１ａでミラーパネル７の円弧形状のバスタブ側端部７ｂを照らすことにより、ミラーパネル７部分に効果的な間接照明を得ることができて、ミラーパネル７の上部に設けたダウンライト２３や吐水照明装置１５と併せて、浴室１内のミラーパネル７部分に光による幻想的な雰囲気を醸し出すことが可能になる。
【００３６】
さらに、ミラーパネル７の表面７ａが平面視で略円弧形状に形成されているため、その最深部に支持杆１６を位置させることで、空間１８の容積を大きく減少させることなくミラー８のミラーパネル７（壁パネル４ａ）に対する突出寸法を小さくできて、ミラーパネル７部分の突起物による浴室１内の開放感（広さ感）の低下をも防止することができる。
【００３７】
図４は、上記実施例の変形例を示している。以下、上記実施例と同一部位には同一符号を付して説明する。以下の他の実施例についも同様である。この変形例の特徴は、ミラー８の外周部にミラー側面カバー２４を取り付けることにより、左右側面に温調操作部１２ａと切換操作部１２ｂが設けられた水栓本体１２を完全に隠すようにした点にある。すなわち、ミラー側面カバー２４を、正面視でミラー８と同一の楕円形状に形成し、その外周前端部に凹部２４ａを形成すると共に、収納棚部１０部分に棚板１０ａの外方への突出を可能にする開口２４ｂと、この開口２４ｂの反対側の側面に所定の光透過率を有する樹脂からなる照明カバー２４ｃを形成する。
【００３８】
この変形例においても、上記実施例と同様の作用効果が得られる他に、水栓本体１２がミラー側面カバー２４で完全に覆われることから、水栓本体１２がバスタブ２内にいる入浴者からも全く視認されない状態となって、水栓９回りのデザイン性の一層の向上が図れるという作用効果が得られる。また、付随的に照明カバー２４ｃの光透過率を所定に設定することで、間接照明装置１１の照明光が所定の状態で外部に照射され、上記実施例のように直接照射される場合と異なる雰囲気の間接照明状態が得られると共に、バスタブ２内から空間１８内の間接照明装置１１や空間１８内の収納棚部１０に収納されている収納物が直接視認されることがなくなって、ミラー８回りのデザイン性の向上をも図れるという作用効果が得られる。
【００３９】
図５及び図６は本発明に係わる浴室用水栓の他の実施例を示す要部正面図及びその概略側面図である。この実施例の特徴は、洗い場３のカウンター６内側の空間３１内に水栓本体１２を配置すると共に、この水栓本体１２とミラーパネル７のミラー８下方に設けられた棚板１０ｂの吐水口１４とを配管３２で連結し、かつ棚板１０ｂの吐水口１４近傍の上面に吐水操作部１３を設けた点にある。また、温調操作部１２ａは、水栓本体１２上方のカウンター６上に配置され、吐水口１４とシャワー３３とを切り換える切換操作部１２ｂは、シャワー３３下方（ミラー６下方）のミラーパネル７に配置されている。
【００４０】
つまり、吐水口１４近傍に配置される吐水操作部１３と温調操作部１２ａ及び切換操作部１２ｂとが、ミラーパネル７前面のそれぞれ別々の位置に露出状態で配置されている。この実施例においても、水栓本体１２と吐水操作部１３や吐水口１４が別体で形成され、水栓本体１２がカウンター６内側の空間３１内に配置されることから、浴室１内のデットスペースを有効利用し水栓本体１２を入浴者が全く視認できない空間３１内に完全に隠すことができて、上記実施例と略同様の作用効果を得ることができる。
【００４１】
また、水栓９回りの３つの操作部１２ａ、１２ｂ、１３が洗い場３に座った入浴者が使用し易いそれぞれ異なる所定位置に配置されているため、例えばシャワー３３と吐水口１４の切り換えをシャワー３３の下方に設けた切換操作部１２ｂで切り換え操作でき、吐水口１４による吐水がその近傍に設けた吐水操作部１３で行え、各操作部１２ａ、１２ｂ、１３の操作ミスが防止される等、操作性に一層優れた水栓９を得ることができる。
【００４２】
さらに、吐水口１４がミラーパネル７の表面７ａから棚板１０ｂを介して突出するのみであるため、水栓９設置部の奥行き寸法を小さくすることができて、水栓９回りのデザイン性がより一層向上すると共に、カウンター６を使用した洗顔時等に、顔や手が吐水口１４に接触するのを防止できて、水栓９の使い勝手の一層の向上が図れる。
【００４３】
ところで、この実施例においては、水栓本体１２を洗い場３のカウンター６内側に形成される空間３１内に配置したが、例えば図７に示すように、バスタブ２のバスダフエプロン２ａ内側に形成される空間３４内に配置し、この水栓本体１２の上方のカウンター６やミラーパネル７の所定位置に温調操作部１２ａと切換操作部１２ｂを配置することもできる。この場合、図示するように水栓本体１２をバスタブエプロン２ａのカウンター６側端部の空間３４内に配置することで、配管３２やバスタブ水栓３５への配管の長さを短くすることが好ましく、この例においても、図５に示す実施例と同様の作用効果を得ることができる。このように、水栓本体１２は、浴室１内に形成されるデッドスペースとしての適宜の空間内に配置することが可能である。
【００４４】
なお、上記各実施例においては、ミラー８が取り付けられる壁面が平面視略円弧形状のミラーパネル７である場合について説明したが、本発明の壁面はこれに何等限定されず、例えば図３の二点鎖線で示すように、右側の端部７ｃ側が略平坦に形成されたミラーパネル７であっても良いし、通常の壁パネル４ａ等であっても良い。また、上記各実施例においては、ミラー８を縦長の楕円形状に形成したが、例えば縦長の長方形状に形成することもできるし、上記実施例における収納棚部１０の棚数である棚板１０ａ、１０ｂの枚数やその形状、棚板１０ａ、１０ｂやミラー８をミラーパネル７に取り付ける支持杆１６、２１の構造等も一例であって、本発明に係わる各発明の要旨を逸脱しない範囲において適宜に変更することができる。
【００４５】
【発明の効果】
以上詳述したように、請求項１に記載の発明によれば、入浴者に視認されない状態で水栓本体が配置され、ミラー下方に吐水操作部を有する吐水口が配置されるため、比較的大きな水栓本体を隠すことができて、水栓回りのデザイン性を向上させることができると共に、使用頻度の多い吐水操作部を入浴者が操作し易い最適位置に配置することができて、水栓自体の操作性の向上を同時に図ることができる。
【００４６】
また、請求項２に記載の発明によれば、請求項１に記載の発明の効果に加え、水栓本体が洗い場のカウンター側壁面に取り付けられたミラーの下部裏面に配置されるため、水栓の使用に直接関係なく比較的大きな外形形状を有する水栓本体を、洗い場にいる入浴者に視認されないようにミラー裏面に隠すことができて、水栓回りのデザイン性を一層向上させることができる。
【００４７】
また、請求項３に記載の発明によれば、請求項１に記載の発明の効果に加え、水栓本体がカウンター内側もしくはバスタブエプロン内側の空間内に配置されているため、水栓の使用に直接関係なく比較的大きな外形形状を有する水栓本体を空間内に入浴者から完全に視認され状態で隠すことができて、水栓回りのデザイン性を一層向上させることができる。
【００４８】
また、請求項４に記載の発明によれば、請求項１ないし３に記載の発明の効果に加え、水栓本体の温調操作部や切換操作部が、ミラー下部の外側に露出する状態で配置されているため、温調操作部や切換操作部を洗い場に座った状態で確実に操作できると共に、比較的使用頻度の低い各操作部を吐水操作部とは別位置に配置できて、各操作部を確実かつスムーズに操作し易い位置に効果的に配置することができる。
【００４９】
また、請求項５に記載の発明によれば、請求項１ないし４に記載の発明の効果に加え、湯水使用時に操作される吐水操作部がタッチ式等で形成されているため、その操作力が軽減される等、吐水操作部の操作性を一層向上させることができる。
【００５０】
また、請求項６に記載の発明によれば、請求項１ないし５に記載の発明の効果に加え、吐水操作部の操作時に照明装置を点灯させることで吐水される湯水を照明できるため、吐水される湯水が入浴者に明確に視認できて吐水操作部の操作性をより一層向上させることができると共に、照明された湯水によって吐水操作部回りに光による演出効果を得ることができる。
【００５１】
また、請求項７に記載の発明によれば、請求項１ないし６に記載の発明の効果に加え、カウンター側壁面に設けられた収納棚の棚板の所定位置に吐水操作部が一体的に設けられるため、棚板を吐水操作部や吐水口の取付部材として兼用できて、浴室の使い勝手の向上や構成の簡略化及び吐水操作部回りのデザイン性のより一層の向上を図ることができる等の効果を奏する。
【図面の簡単な説明】
【図１】本発明に係わる浴室用水栓を適用した浴室ユニットの一実施例を示す内部の斜視図
【図２】同その水栓取付部分の縦断面図
【図３】同その横断面図
【図４】同水栓取付部分の変形例を示す斜視図
【図５】本発明に係わる浴室用水栓を適用した浴室ユニットの他の実施例を示す要部正面図
【図６】同その概略側面図
【図７】同その変形例を示す概略斜視図
【符号の説明】
１・・・・・・・・・・・・浴室
４、４ａ・・・・・・・・・壁パネル
６・・・・・・・・・・・・カウンター
７・・・・・・・・・・・・ミラーパネル
７ａ・・・・・・・・・・・表面
７ｂ、７ｃ・・・・・・・・端部
８・・・・・・・・・・・・ミラー
９・・・・・・・・・・・・水栓
１０・・・・・・・・・・・収納棚部
１０ａ、１０ｂ・・・・・・棚板
１１・・・・・・・・・・・間接照明装置
１２・・・・・・・・・・・水栓本体
１２ａ・・・・・・・・・・温調操作部
１２ｂ・・・・・・・・・・切換操作部
１３・・・・・・・・・・・吐水操作部
１３ａ、１３ｂ・・・・・・上面カバー
１４・・・・・・・・・・・吐水口
１５・・・・・・・・・・・吐水照明装置
１５ａ・・・・・・・・・・照明灯
１５ｂ・・・・・・・・・・照明カバー
１８・・・・・・・・・・・空間
１９・・・・・・・・・・・配管
２４・・・・・・・・・・・ミラー側面カバー
３１、３４・・・・・・・・空間
３２・・・・・・・・・・・配管
３３・・・・・・・・・・・シャワー
Ｗ・・・・・・・・・・・・湯水
【図１】
2004100427.tif 000003
【図２】
2004100427.tif 000004
【図３】
2004100427.tif 000005
【図４】
2004100427.tif 000006
【図５】
2004100427.tif 000007
【図６】
2004100427.tif 000008
【図７】
2004100427.tif 000009